【事件の表示】
　特願２０００−５６５７８４「医療用体内誘導装置」拒絶査定不服審判事件〔平成１２年　３月　２日国際公開、ＷＯ００／１０４５６、平成１５年　８月１９日国内公表、特表２００３−５２４４４３〕について、次のとおり審決する。
【結　論】
　本件審判の請求は、成り立たない。
【理　由】
Ｉ．手続の経緯  
　本願は、１９９９年７月７日（パリ条約による優先権主張外国庁受理１９９８年８月２日，イスラエル国、１９９８年１０月２９日，イスラエル国）を国際出願日とする出願であって、平成１６年６月２２日付けで拒絶理由が通知され（発送日：同年７月１３日）、これに対し、平成１７年１月６日付けで意見書及び手続補正書が提出されたが、同年１月２６日付けで拒絶査定がなされ（発送日：同年２月２２日）、これに対し、同年５月２３日に拒絶査定不服審判が請求されるとともに、同年６月１７日付けで手続補正がなされたものである。 
　 
II．平成１７年６月１７日付けの手続補正についての補正却下の決定 
［補正却下の決定の結論］  
　平成１７年６月１７日付けの手続補正を却下する。 
［理由］ 
１．平成１７年６月１７日付け手続補正（以下「本件補正」という。） 
　本件補正は、補正前の特許請求の範囲の記載（平成１７年１月６日付けで補正、以下同じ。）： 
「【請求項１】
　それぞれがベクトル力場の異なる成分を検出する、プローブ内に同一直線上に取り付けられた三つのセンサを備えて構成され、
　前記センサのそれぞれは、プローブ内の共通基準点を中心として対称的に配設された二つのセンサ要素を含むことを特徴とするプローブの位置と方向を追跡するための装置。
【請求項２】
　前記ベクトル力場が電磁場であることを特徴とする請求項１に記載の装置。
【請求項３】
　前記センサ要素はそれぞれコイルを含むことを特徴とする請求項１に記載の装置。
【請求項４】
　前記センサそれぞれに関し、前記コイルが互いに平行であることを特徴とする請求項３に記載の装置。
【請求項５】
　前記センサそれぞれに関し、前記コイルが直列に接続されていることを特徴とする請求項３に記載の装置。
【請求項６】
　前記センサそれぞれに関し、前記コイルが同一の巻きを有することを特徴とする請求項５に記載の装置。
【請求項７】
　前記センサそれぞれに関し、前記コイルが逆の巻きを有することを特徴とする請求項５に記載の装置。
【請求項８】
　それぞれがベクトル力場の異なる成分を検出する、プローブ内に取り付けられた三つのセンサを備え、前記センサのそれぞれは第１のセンサ要素及び第２のセンサ要素からなる二つのセンサ要素を含み、
　前記センサのそれぞれにおいて、前記第１のセンサ要素及び前記第２のセンサ要素はプローブ内の共通基準点を中心として対称的に配設されており、前記第１のセンサ要素は第１の円の円周に沿って配設しており、前記第２のセンサ要素は第２の円の円周に沿って配設しており、
　前記第１の円及び第２の円はそれぞれ中心を有し、前記共通基準点は前記第１の円及び第２の円の前記中心を結ぶ線の中心点であって、前記第１の円及び第２の円は前記線に沿って離れて位置することを特徴とするプローブの位置と方向を追跡するための装置。
【請求項９】
　前記センサ要素のそれぞれは、前記円によって定義される円筒形表面と一致する形状を有することを特徴とする請求項８に記載の装置。
【請求項１０】
　（ａ）それぞれがプローブ内の共通基準点を中心として対称的に配設された二つのコイルを含み、プローブ内に取り付けられた、それぞれがベクトル力場の異なる成分を検出する複数の第１センサと； 
　（ｂ）前記共通基準点に中心を有するコイルを含む第２のセンサと；を含み、
　前記コイルはそれぞれ前記共通基準点を通る線に沿って配設されており、前記第２のセンサの前記コイルは前記線に平行な方向を向いており、前記第１のセンサの前記コイルは前記線に垂直な方向を向いていることを特徴とするプローブの位置と方向を追跡するための装置。
【請求項１１】
　（ａ）電磁場を送信するための、少なくとも一つの送信アンテナと；
　（ｂ）一点で電磁場を検出するための、前記送信された電磁場の第１の成分に呼応する二つの検出要素を含む、物体に付随している第１の電磁場センサであって、前記検出要素は、それぞれ第１のリード線と第２のリード線を含み、前記第１のリード線は、互いに電気接続されているとともにアースに接続されていることを特徴とする、第１の電磁場センサと；
　（ｃ）第１の差動増幅器であって、前記第２のリード線はそれぞれ前記第１の差動増幅器の異なる入力端子に電気接続されていることを特徴とする、第１の作動増幅器と；
を備えてなる物体の位置と方向を判定するための装置。
【請求項１２】
　前記検出要素が、それぞれコイルを含むことを特徴とする請求項１１に記載の装置。
【請求項１３】
　前記コイルが幾何学的に平行であることを特徴とする請求項１２に記載の装置。
【請求項１４】
　前記検出要素が点に対して偏心に配設されていることを特徴とする請求項１１に記載の装置。
【請求項１５】
　それぞれがベクトル力場の異なる成分を検出する、プローブ内に取り付けられた三つのセンサを備えて構成され、
　前記センサのそれぞれは、プローブ内の共通基準点を中心として対称的に配設された二つのコイルを含み、
　前記コイルの少なくとも一つは、前記共通基準点を避けて位置する中心軸を有していることを特徴とするプローブの位置と方向を追跡するための装置。
【請求項１６】
　前記コイルのそれぞれが、前記共通基準点を避けて位置する中心軸を有していることを特徴とする請求項１５に記載の装置。
【請求項１７】
　（ａ）伝導性の材質より形成された機枠と；
　（ｂ）それぞれが電磁場の異なる成分を検出し、それぞれがプローブ内の共通基準点を中心として対称的に配設された二つのセンサ要素を含む、前記機枠内に取り付けられた複数のセンサと；
　を備えてなることを特徴とするプローブ。
【請求項１８】
　前記機枠の前記材質が伝導性の金属であることを特徴とする請求項１７に記載のプローブ。
【請求項１９】
　前記金属が非磁性であることを特徴とする請求項１８に記載のプローブ。
【請求項２０】
　（ａ）可撓性のコネクタにより接続された二つの部分を含む機枠と；
　（ｂ）それぞれがベクトル力場の異なる成分を検出する複数のセンサであって、プローブ内の共通基準点を中心として対称的に配設された第１のセンサ要素及び第２のセンサ要素をそれぞれ含み、前記第１のセンサ要素は二つの前記部分における第１の部分の内部に取り付けられ、前記第２のセンサ要素は二つの前記部分における第２の部分の内部に取り付けられて構成される複数のセンサと；
　を備えてなることを特徴とするプローブ。
【請求項２１】
　それぞれがベクトル力場の異なる成分を検出する、プローブ内に取り付けられた三つのセンサを備えて構成され、
　前記センサのそれぞれは、プローブ内の共通基準点を中心として対称的に配設された二つのセンサ要素を含み、
　前記ベクトル力場の前記異なる成分は相互に直角であることを特徴とするプローブの位置と方向を追跡するための装置。
【請求項２２】
　（ａ）それぞれがプローブ内の共通基準点を中心として対称的に配設された二つのセンサ要素を含み、プローブ内に取り付けられた、それぞれがベクトル力場の異なる成分を検出する複数の第１センサと；
　（ｂ）前記複数の第１のセンサのそれぞれにおいて、
　　　（ｉ）第１のリード線と第２のリード線であって、前記センサ要素はそれぞれ第１のリード線と第２のリード線を含み、前記第１のリード線は互いに電気接続されているとともにアースに接続されていることを特徴とする第１のリード線と第２のリード線と；
　　　（ｉｉ）作動増幅器であって、前記第２のリード線はそれぞれ前記作動増幅器の異なる入力端子に電気接続されていることを特徴とする作動増幅器と；
を備えてなることを特徴とするプローブの位置と方向を追跡するための装置。
【請求項２３】
　（ａ）それぞれがプローブ内の共通基準点を中心として対称的に配設された二つのコイルを含み、プローブ内に取り付けられた、それぞれがベクトル力場の異なる成分を検出する複数のセンサと；
　（ｂ）前記コイルのコアであって、前記センサの少なくとも一つにおいては、それぞれの前記コイルはコアの周りに巻き付けられていることを特徴とするコアと；
を備えてなることを特徴とするプローブの位置と方向を追跡するための装置。
【請求項２４】
　それぞれがベクトル力場の異なる成分を検出する、同一直線上に配設された複数のセンサを備えて構成され、
　前記センサのそれぞれは、プローブ内の共通基準点を中心として対称的に配設された二つのセンサ要素を含み、
　前記センサ要素の少なくとも一つは、前記共通基準点を避けて位置する中心軸を有していることを特徴とするプローブの位置と方向を追跡するための装置。
【請求項２５】
　それぞれがベクトル力場の異なる成分を検出する複数のセンサを備えて構成され、
　前記センサのそれぞれは、プローブ内の共通基準点を中心として対称的に配設された二つのセンサ要素を含み、
　前記センサ要素の全ては、前記プローブの中心軸に沿って配設されていることを特徴とするプローブの位置と方向を追跡するための装置。」
を、
「【請求項１】
　それぞれがベクトル力場の異なる成分を検出する、プローブ内に同一直線上に取り付けられた三つのセンサを備えて構成され、
　前記センサのそれぞれは、プローブ内の共通基準点を中心として対称的に配設された二つのセンサ要素を含むことを特徴とするプローブの位置と方向を追跡するための装置。
【請求項２】
　前記ベクトル力場が電磁場であることを特徴とする請求項１に記載の装置。
【請求項３】
　前記センサ要素はそれぞれコイルを含むことを特徴とする請求項１に記載の装置。
【請求項４】
　前記センサそれぞれに関し、前記コイルが互いに平行であることを特徴とする請求項３に記載の装置。
【請求項５】
　前記センサそれぞれに関し、前記コイルが直列に接続されていることを特徴とする請求項３に記載の装置。
【請求項６】
　前記センサそれぞれに関し、前記コイルが同一の巻きを有することを特徴とする請求項５に記載の装置。
【請求項７】
　前記センサそれぞれに関し、前記コイルが逆の巻きを有することを特徴とする請求項５に記載の装置。
【請求項８】
　
プローブ内に取り付けられ、それぞれがベクトル力場の三つの異なる成分に対応して前記成分を検出する三つのセンサのみで構成され、前記センサのそれぞれは第１のセンサ要素及び第２のセンサ要素からなる二つのセンサ要素で構成され、
されて
されて
　前記第１の円及び第２の円はそれぞれ中心を有し、前記共通基準点は前記第１の円及び第２の円の前記中心を結ぶ線の中心点であって、前記第１の円及び第２の円は前記線に沿って離れて位置することを特徴とするプローブの位置と方向を追跡するための装置。
【請求項９】
　前記センサ要素のそれぞれは、前記円によって定義される円筒形表面と一致する形状を有することを特徴とする請求項８に記載の装置。
【請求項１０】
　（ａ）それぞれがプローブ内の共通基準点を中心として対称的に配設された二つのコイルを含み、プローブ内に取り付けられた、それぞれがベクトル力場の異なる成分を検出する複数の第１のセンサと；
　（ｂ）前記共通基準点に中心を有するコイルを含む第２のセンサと；を含み、
　前記コイルはそれぞれ前記共通基準点を通る線に沿って配設されており、前記第２のセンサの前記コイルは前記線に平行な方向を向いており、前記第１のセンサの前記コイルは前記線に垂直な方向を向いていることを特徴とするプローブの位置と方向を追跡するための装置。
【請求項１１】
　（ａ）可撓性のコネクタにより接続された二つの部分を含む機枠と；
　（ｂ）それぞれがベクトル力場の異なる成分を検出する複数のセンサであって、プローブ内の共通基準点を中心として対称的に配設された第１のセンサ要素及び第２のセンサ要素をそれぞれ含み、前記第１のセンサ要素は二つの前記部分における第１の部分の内部に取り付けられ、前記第２のセンサ要素は二つの前記部分における第２の部分の内部に取り付けられて構成される複数のセンサと；
を備えてなることを特徴とするプローブ。
【請求項１２】
　（ａ）それぞれがプローブ内の共通基準点を中心として対称的に配設された二つのコイルを含み、プローブ内に取り付けられた、それぞれがベクトル力場の異なる成分を検出する複数のセンサと；
　（ｂ）前記コイルのコアであって、前記センサの少なくとも一つにおいては、それぞれの前記コイルはコアの周りに巻き付けられていることを特徴とするコアと；
を備えてなることを特徴とするプローブの位置と方向を追跡するための装置。
【請求項１３】
　それぞれがベクトル力場の異なる成分を検出する、同一直線上に配設された複数のセンサを備えて構成され、
　前記センサのそれぞれは、プローブ内の共通基準点を中心として対称的に配設された二つのセンサ要素を含み、
　前記センサ要素の少なくとも一つは、前記共通基準点を避けて位置する中心軸を有していることを特徴とするプローブの位置と方向を追跡するための装置。
【請求項１４】
　それぞれがベクトル力場の異なる成分を検出する複数のセンサを備えて構成され、
　前記センサのそれぞれは、プローブ内の共通基準点を中心として対称的に配設された二つのセンサ要素を含み、
　前記センサ要素の全ては、前記プローブの中心軸に沿って配設されていることを特徴とするプローブの位置と方向を追跡するための装置。」（下線は補正箇所を示す。）
と補正することを含むものである。
　 
２．補正の目的について 
　上記の本件補正において、補正前の特許請求の範囲の請求項８における、
「それぞれがベクトル力場の異なる成分を検出する、プローブ内に取り付けられた三つのセンサを備え、前記センサのそれぞれは第１のセンサ要素及び第２のセンサ要素からなる二つのセンサ要素を含み」
を、
「プローブ内に取り付けられ、それぞれがベクトル力場の三つの異なる成分に対応して前記成分を検出する三つのセンサのみで構成され、前記センサのそれぞれは第１のセンサ要素及び第２のセンサ要素からなる二つのセンサ要素で構成され」
と補正する点は、ベクトル力場の異なる成分の数を「三つ」に限定するとともに、その三つの異なる成分を検出するセンサの数を「三つ」「のみ」であると限定するものである。
　したがって、本件補正は、平成１８年改正前の特許法第１７条の２第４項第２号に規定する特許請求の範囲の減縮を目的とするものに該当する。　 
　そこで、本件補正後の請求項１及び８に記載された発明（以下、請求項１に係る発明及び請求項８に係る発明を、それぞれ「本件補正発明１」及び「本件補正発明２」という。）が特許出願の際独立して特許を受けることができるものであるか（平成１８年改正前の特許法第１７条の２第５項において準用する同法第１２６条第５項の規定に適合するか）について検討する。　
　
３．独立特許要件違反について 
（１）本件補正発明の認定 
　本件補正発明１及び２は、平成１７年１月６日付け手続補正書、平成１７年６月１７日付け手続補正書で補正された明細書及び図面の記載からみて、その特許請求の範囲の請求項１及び８にそれぞれ記載された次の事項により特定されるとおりのものと認める。 
　 
「それぞれがベクトル力場の異なる成分を検出する、プローブ内に同一直線上に取り付けられた三つのセンサを備えて構成され、
　前記センサのそれぞれは、プローブ内の共通基準点を中心として対称的に配設された二つのセンサ要素を含むことを特徴とするプローブの位置と方向を追跡するための装置。」（：本件補正発明１）
　
「プローブ内に取り付けられ、それぞれがベクトル力場の三つの異なる成分に対応して前記成分を検出する三つのセンサのみで構成され、前記センサのそれぞれは第１のセンサ要素及び第２のセンサ要素からなる二つのセンサ要素で構成され、　前記センサのそれぞれにおいて、前記第１のセンサ要素及び前記第２のセンサ要素はプローブ内の共通基準点を中心として対称的に配設されており、前記第１のセンサ要素は第１の円の円周に沿って配設されており、前記第２のセンサ要素は第２の円の円周に沿って配設されており、
　前記第１の円及び第２の円はそれぞれ中心を有し、前記共通基準点は前記第１の円及び第２の円の前記中心を結ぶ線の中心点であって、前記第１の円及び第２の円は前記線に沿って離れて位置することを特徴とするプローブの位置と方向を追跡するための装置。」（：本件補正発明２）
　
（２）引用刊行物記載の発明 
　原査定の拒絶の理由に引用された、本願の優先権主張の日前である平成９年８月２１日に頒布された刊行物である国際公開第９７／２９６８４号（以下「引用刊行物１」という。）には、図面とともに次の事項が記載されている（なお、日本語訳は、対応する公表公報：特表２０００−５０６４０９号公報の記載を用いた。）。
　
（ア）「本発明は医療用器具に関わり、より具体的には内腔を備え器具の位置や方向を検出するセンサを備えたカテーテルのような医療用器具に関わる。」（明細書第１ページ第６−１０行）　
（イ）「図４Ａは国際特許出願第ＰＣＴ／ＵＳ９５／０１１０３号に開示されているような３つのコイルから成る位置センサを備えたカテーテル１７０を示す。位置センサは略直交する３つのコイル１７２，１７４及び１７６から成る。カテーテル１７０の位置は、それぞれ異なった照射周波数もしくは照射時間を持つ複数のコイルが発生する交流磁場をコイルに照射することによってカテーテル１７０の位置を定めてもよい。磁場の直交成分によって各コイルに誘導される電圧の大きさを測定して磁場内における位置を定める。このように一つ以上の非電離性の場の性質を決定することによって、コイルの組み合わせを用いて位置及び方向を検出する。カテーテル１７０の形状の問題は、直径５ｍｍ以下（特に３ｍｍ以下）の外径を有するカテーテルでは、コイル１７４及び１７６はカテーテル１７０の断面全体をほぼ覆ってしまい内腔が形成されないという点である。」（明細書第１５ページ第４−２２行）
（ウ）「 図４Ｂは３つのコイルから成る位置センサ及び内腔４２を有するカテーテル７０を示す。コイル１７２（図４Ａ）に相当する第１のコイル７２がカテーテル７０と同軸であり、内腔４２を塞ぐ形にはなっていない。内腔４２を塞ぐコイル１７４及び１７６はそれぞれ幾つかの相互に接続されたコイルに分割されており、いずれも内腔４２を塞いでいない。例えば、図４Ｂに示すように、コイル１７４は、コイル１７４と同じ方向を向いているコイル７４Ａ，７４Ｂ，７４Ｃ及び７４Ｄに分割されている。コイル７４Ａ乃至７４Ｄは電気的に直列接続されているのが好ましい。コイル７６は同様にコイル７６Ａ，７６Ｂ，７６Ｃ及び７６Ｄに分割されている。図４Ｃは、コイル７４Ａ，７４Ｂ，７４Ｃ及び７４Ｄが内腔４２に接する様子を示したカテーテル７０の断面図である。すなわちコイル７４Ａ及び７４Ｂはカテーテル及び内腔の長さ方向つまり軸方向を横切る方向に離れた位置に有り、コイル７４Ａ及び７４Ｂは互いに内腔の反対側に配置されている。また、コイル７４Ａ及び７４Ｂはそれぞれコイル７４Ｃ及び７４Ｄから軸方向つまり長さ方向に離れている。
  図４Ｂの位置センサの長さは図４Ａの位置センサの長さと略同じである。しかし、各コイル７４Ａ乃至７４Ｄ及び７６Ａ乃至７６Ｄの巻数及びコイル７４Ａ乃至７４Ｄ及び７６Ａ乃至７６Ｄの断面積によって、図４Ｂの位置センサの感度は図４Ａの位置センサの感度と異なる場合がある。コイルの大きさ及び間隔が十分であれば、各コイル７４Ａ乃至７４Ｄ及び７６Ａ乃至７６Ｄに別体のフェライトコアを設ける。好ましくはコアは楕円状とし、コイルの磁場の方向に影響を及ぼさず位置センサの他のコイルに対して最小限の影響しか及ぼさないようにする。」（明細書第１５ページ第２３行−第１６ページ第１８行）
（エ）「本発明のさらなる実施形態によるプローブ（図６及び図７）は、中心孔あるいは内腔２０１を画成する細長いチューブ体２００を含んでいる。プローブはセンサ２０２を含む。センサ２０２は第１のコイル２０４から成る第１のトランスデューサアセンブリを含む。第１のコイル２０４は、内腔２０１を取り囲み本体及び内腔の長さ方向の軸つまりＸ軸を周回するように、複数回螺旋状に巻かれている。コイル２０４のターンはＸ軸に直交する平面の投影領域を形成する。従ってコイル２０４はＸ方向の磁束変化を検出することができる。コイル２０４の中心は内腔２０１内部の点２０６にある。
  センサ２０２はさらに、内腔２０１の対向側面に配置された一対のコイル２０８ａ及び２０８ｂを含むｚ方向側方磁場トランスデューサアセンブリを含む。コイル２０８ａ及び２０８ｂはそれぞれ略螺旋状であり、コイル２０４の巻線を囲むように巻かれている。コイル２０８ａ及び２０８ｂは、図６及び図７においてＺ軸によって示された側方向に略延在するコイル軸２１０ａ及び２１０ｂを有する。この側方向は長さ方向つまりＸ方向に対して直交する。コイル２０８ａ及び２０８ｂのターンはコイル２０４のターンを巻いている。このように、コイル２０８ａ及び２０８ｂは長さ方向つまりＸ軸方向においてコイル２０４の中心点２０６と一直線上にある。コイル２０８ａ及び２０８ｂは、図６及び図７でＹ軸として示されたＸ方向及びＺ方向に直交する側方向において互いに離れている。
  コイル２０８ａ及び２０８ｂのターンは、Ｚ方向に直交する平面の投影領域、すなわちＹ方向及びＸ方向に平行な平面の投影領域を囲む。コイル２０８ａ及び２０８ｂはＺ方向の磁束変化を検出することができる。コイル２０８ａ及び２０８ｂは相互接続導電体２１２によって相互に直列接続されており、２つのコイルによって生成された電圧が互いに加わるようになっている。端子２１４ａ及び２１４ｂに現れる電圧つまり信号は、軸２１０ａ付近の第１の各投影領域と軸２１０ｂ付近の第２の各投影領域での磁束変化の総和を表す。これらの投影領域全体に対する中心はコイル２０４の中心点２０６と一致する。
  センサはさらに一対のコイル２１６ａ及び２１６ｂを含むＹ方向側方トランスデューサアセンブリを含む。コイル２１６ａ及び２１６ｂはコイル２０４のターンの周りを螺旋状に巻いている。コイル２１６ａ及び２１６ｂはコイル軸２１８ａ及び２１８ｂに沿って略延在する。各コイル軸２１８は、図６及び図７においてＹ軸として示される側方向（長さ方向つまりＸ方向に直交し、さらに他の側方向Ｚに直交）に延在する。したがって、コイル２１６ａ及び２１６ｂの各ターンはＹ軸に垂直なＺ−Ｘ平面における投影領域を形成する。この場合も、そのような全ての投影領域全体の中心は中心点２０６と一致する。コイル２１６ａ及び２１６ｂは、端子２２２ａ及び２２２ｂ間に現れる電圧が両コイルの全ターンで誘導される電圧の和に比例するように、導体２２０によって直列接続される。
  この配置では、各トランスデューサアセンブリはセンサに対して異なった方向に沿った磁束変化、すなわちＺ軸，Ｙ軸，またはＸ軸に沿った磁束変化を測定するが、全てのトランスデューサアセンブリが共通ポイント２０６における、または共通のポイント２０６に隣接した磁束変化を測定する。したがって、Ｚ方向の単位時間あたりの磁束変化がＹ方向に一定であるか、またはＹ方向の距離に従って直線的に変化する場合、Ｚ方向の側方のトランスデューサアセンブリのコイル２０８は共通のポイント２０６に位置するポイントトランスデューサが生成するであろう電圧に等しい電圧を生成する。同様に、Ｙ方向の単位時間あたりの磁束変化がＺ方向の距離に対して一定であるか、または直線的に変化する場合、Ｙ方向の側方トランスデューサアセンブリ（コイル２１６ａ及び２１６ｂ）は共通のポイント２０６に配置されたポイントセンサによって生成されるであろう信号と等しい信号を生成する。また、長手方向つまりＸ方向のトランスデューサアセンブリ（コイル２０４）は共通のポイント２０６に位置するポイントセンサが生成するのと略等しい信号を生成する。」（明細書第１９ページ第１４行−第２１ページ第１９行）
（オ）「図６及び図７に示す配置では、限られた直径の管状の本体２００の中に内腔２０１をかなり大きくとれる。このようにして、２つの側方トランスデューサアセンブリのコィル２１６及び２０８が管状の本体の円周の周りで、すなわち内腔２０１の周辺に交互に配置されているため、適当な直径を有する本体２００の中にこれらのコイルを収容することができる。」（明細書第２３ページ第３−１０行）
（カ）「図８の実施形態では、長手方向つまりＸ方向のトランスデューサアセンブリは、互いに長手方向つまりＸ方向に距離を置いた１組の部分３０２ａ及び３０２ｂから成るらせんコイルを含む。側方トランスデューサアセンブリ３０８は４つの別々のコイル３０８ａ乃至３０８ｄを含む。コイル３０８ａ及び３０８ｂが互いに内腔３０１の反対側に配置され、長手方向トランスデューサアセンブリの第１の部分３０２ａの巻線を包囲している。コイル３０８ｃ及び３０８ｄは内腔３０１の互いに反対側に配置され、長手方向方向トランスデューサアセンブリの第２の部分３０２ｂの巻線を包囲している。
  もう一つの側方トランスデューサアセンブリは４つのコイル３１６ａ乃至３１６ｄを含む。これらのコイルのうち３１６ａ及び３１６ｂの２つのコイルが巻線３０２ａを包囲しているが、他の２つのコイルが巻線３０２ｂを包囲している。この場合も、各トランスデューサアセンブリのコイルの全てが、コイルが発生する信号が互いに加えられるように直列接続される。この場合も、全てのトランスデューサアセンブリの感度の中心は共通のポイント３０６に位置する。」（明細書第２３ページ第１１−３１行）
（キ）「図１５で示されるように、上述の図４Ａ及び図４Ｂを参照したプローブ７０と同様のプローブ７０’は長手方向つまり軸方向の成分に反応するコイルとして２つのコイル部分７２Ａ’及び７２Ｂ’を有していてもよい。長手方向コイルの感度の中心をこれらの部分の間にあるポイント７１’に置く。側方成分を検出するコイルの配置は上で図４Ａ及び図４Ｂを参照して論じたのと同じである。したがつて、そのような１つのコイルはポイント７１’から軸方向に等しい距離だけ離れた内腔に沿った２つの位置に、内腔の互いに反対側に配置される４つの部分７４Ａ’乃至７４Ｄ’を含むので、コイル７４’の全ての部分を考慮に入れた場合その感度の中心はポイント７１’にある。他方のコイルは４つの部分を含んでいるが、そのうち２つの部分７６Ａ’及び７６Ｃ’だけが図１５に示されている。また、これらの部分はポイント７１’から等しい距離に配置されるので、コイル７６’の感度の中心もポイント７１’にある。」（明細書第２８ページ第２９行−第２９ページ第８行）
（ク）「上述のプローブの検出要素は、いずれもプローブの使用中は患者の身体の外部に配置されるアンテナから送られる磁場、電磁場または音響場などの非電離場を検出し、検出された場の特性を表す信号を生成してセンサ信号からセンサの位置及び／または方向を推定するという特性から、本願では「位置センサ」と言及する。従って同じ要素を「場のトランスデューサ」と言及することができる。また本願に使用される用語「位置センサ」及び「トランスデューサ」は、１つ以上の外部の受信アンテナが受信できるように場を送信する機能を有する１つ以上の要素を包含するものとしても理解されるべきである。例えば、上述のコイル配置のいずれも、受信アンテナアレイとしても送信アンテナアレイとしても役立てることができる。」（明細書第２９ページ第９−２６行）
（ケ）図４Ｂ，４Ｃには、互いに内腔の反対側に配置されているコイル７４Ａと７４Ｂ、コイル７４Ｃと７４Ｄ、コイル７６Ａと７６Ｂが、コイルの軸を一致させ、カテーテル７０の中心軸に対して対称に配置されていることが記載されている。
（コ）図８には、互いに内腔３０１の反対側に配置されているコイル３０８ａと３０８ｂ、コイル３０８ｃと３０８ｄ、コイル３１６ａと３１６ｂ、コイル３１６ｃと３１６ｄが、プローブの長手方向軸に対して対称に配置されていることが記載されている。また、コイル３０２ａ，３０８ａ，３０８ｂ，３１６ａ，３１６ｂは全て一の円の円周に沿って配置され、コイル３０２ｂ，３０８ｃ，３０８ｄ，３１６ｃ，３１６ｄは全て他の円の円周に沿って配置され、該一の円と他の円とは、プローブの長手方向軸であるＸ軸方向に共通ポイント３０６を挟んで隔たっていることが記載されている。
　
　ここで、上記（キ）には、図１５で示されるプローブ７０’は、図４Ａ及び図４Ｂを参照したプローブ７０の長手方向つまり軸方向の成分に反応するコイルとして２つのコイル７２Ａ’及びコイル７２Ｂ’を設けたものであり、その側方成分を検出するコイルの配置は図４Ａ及び図４Ｂを参照して論じたものと同じである旨の記載があり、「他方のコイルは４つの部分を含んでいるが、そのうち２つの部分７６Ａ’及び７６Ｃ’だけが図１５に示されている。」という記載もあるので、図１５で示されるプローブ７０’は、コイル７６Ａ’と対になるコイル７６Ｂ’、コイル７６Ｃ’と対になるコイル７６Ｄ’を、上記（イ），（ウ），（ケ）に摘記した、図４Ｂ，４Ｃに示されるプローブ７０と同様の位置に備え、コイル７６Ａ’乃至７６Ｄ’及びコイル７４Ａ’乃至７４Ｄ’は、図４Ｂ，４Ｃに示されるコイル７６Ａ乃至７６Ｄ及びコイル７４Ａ乃至７４Ｄと同様の配置であることが解る。
　そして、図１５で示されるプローブ７０’においては、コイル７２Ａ’と７２Ｂ’、コイル７４Ａ’乃至７４Ｄ’、コイル７６Ａ’乃至７６Ｄ’それぞれの感度の中心はポイント７１’にあるから、コイル７２Ａ’とコイル７２Ｂ’、コイル７４Ａ’及び７４Ｂ’とコイル７４Ｄ’及び７４Ｃ’、コイル７６Ａ’及び７６Ｂ’とコイル７６Ｄ’及び７６Ｃ’とは、それぞれ、ポイント７１’を中心として、対称に配置されていることは明らかである。また、図４Ｂ，４Ｃに示されるものは、図４Ａに示される略直交する３つのコイル１７２，１７４及び１７６を用いて磁場の直交成分を検出するものの、コイル１７４を同方向のコイル７４Ａ乃至７４Ｄ、コイル１７６を同方向のコイル７６Ａ乃至７６Ｄに置き換えたものである。
　上記記載にこれらの点も考慮すると、引用刊行物１には、図１５で示されるプローブの位置及び方向を検出する装置として、次の発明（以下「引用発明１」という。）が記載されているものと認められる。
　
「磁場の直交３成分を検出する３つのコイルを内部に備えたプローブの位置及び方向を検出する装置であって、
　プローブの長手方向の磁場成分を検出するコイルとしての、プローブの長手方向にポイント７１’を中心として対称に、その軸をプローブと同軸にして配置されるコイル７２Ａ’及び７２Ｂ’と、
　前記プローブの長手方向に直交する一方向の磁場成分を検出するコイルとしての、プローブの長手方向の軸から前記一方向に等距離離れた位置に、その軸を前記一方向に向けて同軸に配置されるコイル７４Ａ’及び７４Ｂ’と、該コイル７４Ａ’及び７４Ｂ’と前記ポイント７１’を中心として対称に、前記プローブの長手方向の軸から前記一方向に等距離離れた位置に、その軸を前記一方向に向けて同軸に配置されるコイル７４Ｄ’及び７４Ｃ’と、
　前記プローブの長手方向に直交し、かつ、前記一方向に直交する他方向の磁場成分を検出するコイルとしての、プローブの長手方向の軸から前記他方向に等距離離れた位置に、その軸を前記他方向に向けて同軸に配置されるコイル７６Ａ’及び７６Ｂ’と、該コイル７６Ａ’及び７６Ｂ’と前記ポイント７１’を中心として対称に、前記プローブの長手方向の軸から前記他方向に等距離離れた位置に、その軸を前記他方向に向けて同軸に配置されるコイル７６Ｄ’及び７６Ｃ’と、
を含む、プローブの位置及び方向を検出する装置。」
　
　また、図８で示されるプローブの位置及び方向を検出する装置における、コイル３０８ａ乃至３０８ｄ、コイル３１６ａ乃至３１６ｄが、それぞれどの方向の磁場成分を検出するものであるかについて、上記（カ）には明確な記載はないが、図８に示されるものは、図６，７に示されるセンサ２０２をプローブの長手方向であるＸ方向に距離を置いて２つ設けたものと捉えることができ、図８には、Ｘ−Ｙ−Ｚ方向の矢印が図６と同様に記載されていることから、コイル３１６ａ乃至３１６ｄを含むトランスデューサアセンブリは、プローブの長手方向であるＸ方向に直交するＹ方向の磁場成分を検出し、コイル３０８ａ乃至３０８ｄを含むトランスデューサアセンブリは、Ｘ，Ｙ方向に直交するＺ方向の磁場成分を検出するものであることは明らかである。そして、図８に示されるものにおいては、各トランスデューサアセンブリの感度の中心は共通のポイント３０６に位置するのであるから、上記（コ）も考慮すると、図８に示されるものにおいては、巻き線３０２ａと３０２ｂが共通のポイント３０６を中心として対称に配置され、コイル３１６ａ及び３１６ｂとコイル３１６ｃ及び３１６ｄが共通のポイント３０６を中心として対称に配置され、コイル３０８ａ及び３０８ｂとコイル３０８ｃ及び３０８ｄが共通のポイント３０６を中心として対称に配置されていて、コイル３０２ａ，３０８ａ，３０８ｂ，３１６ａ，３１６ｂがその円周に沿って配置される一の円と、コイル３０２ｂ，３０８ｃ，３０８ｄ，３１６ｃ，３１６ｄがその円周に沿って配置される他の円とは、それらの中心を結ぶ線の中心点が共通のポイント３０６となる位置関係にあることは明らかである。
　上記記載にこれらの点も考慮すると、引用刊行物１には、図８で示されるプローブの位置及び方向を検出する装置として、次の発明（以下「引用発明２」という。）が記載されているものと認められる。
　
「プローブ内に取り付けられ、長手方向であるＸ方向の磁場成分を検出するトランスデューサアセンブリと、Ｘ方向に直交するＹ方向の磁場成分を検出するトランスデューサアセンブリと、Ｘ，Ｙ方向に直交するＺ方向の磁場成分を検出するトランスデューサアセンブリの３つのトランスデューサアセンブリのみを備えた、プローブの位置及び方向を検出する装置であって、
　Ｘ方向の磁場成分を検出するトランスデューサアセンブリが、互いにＸ方向に距離を置いた１組の巻き線３０２ａ及び３０２ｂを含み、
　Ｙ方向の磁場成分を検出するトランスデューサアセンブリが、前記巻き線３０２ａを包囲している２つのコイル３１６ａ及び３１６ｂと、前記巻き線３０２ｂを包囲している２つのコイル３１６ｃ及び３１６ｄを含み、
　Ｚ方向の磁場成分を検出するトランスデューサアセンブリが、前記巻き線３０２ａを包囲している２つのコイル３０８ａ及び３０８ｂと、前記巻き線３０２ｂを包囲している２つのコイル３０８ｃ及び３０８ｄを含み、
　巻き線３０２ａと３０２ｂが共通のポイント３０６を中心として対称に配置され、コイル３１６ａ及び３１６ｂとコイル３１６ｃ及び３１６ｄが共通のポイント３０６を中心として対称に配置され、コイル３０８ａ及び３０８ｂとコイル３０８ｃ及び３０８ｄが共通のポイント３０６を中心として対称に配置されるとともに、
　コイル３０２ａ，３０８ａ，３０８ｂ，３１６ａ，３１６ｂは全て一の円の円周に沿って配置され、コイル３０２ｂ，３０８ｃ，３０８ｄ，３１６ｃ，３１６ｄは全て他の円の円周に沿って配置され、該一の円と他の円とは、Ｘ軸方向に共通ポイント３０６を挟んで隔たっていて、それらの中心を結ぶ線の中心点が共通のポイント３０６となる位置関係にある、
プローブの位置及び方向を検出する装置。」
　
（３）対比，判断
（３−１）本件補正発明１と引用発明１との対比，判断
　本件補正発明１と引用発明１とを対比する。
(a)引用発明１の「磁場の直交３成分を検出する３つのコイル」は、本件補正発明１の「それぞれがベクトル力場の異なる成分を検出する・・・三つのセンサ」に相当し、引用発明１の「磁場の直交３成分を検出する３つのコイルを内部に備えたプローブの位置及び方向を検出する装置」は、本件補正発明１の「それぞれがベクトル力場の異なる成分を検出する、プローブ内に・・・取り付けられた三つのセンサを備えて構成され・・・プローブの位置と方向を追跡するための装置」に相当することは明らかである。
(b)引用発明１の、プローブの長手方向の磁場成分を検出する、コイル７２Ａ’及び７２Ｂ’は、プローブの長手方向の軸と同軸に取り付けられたものである。
　プローブの長手方向に直交する一方向の磁場成分を検出するセンサは、コイル７４Ａ’乃至７４Ｄ’からなっているが、これらは一つのコイルを４つに分割したものであり（明細書第１５ページ第３０−３２行）、その４つのコイルを合わせて一方向の磁場成分を検出するものであって、一方向に向けて同軸に配置されるコイル７４Ａ’と７４Ｂ’の磁場成分の検出の中心、一方向に向けて同軸に配置されるコイル７４Ｃ’と７４Ｄ’の磁場成分の検出の中心、そしてこれら４つのコイルを合わせた磁場成分の検出の中心はいずれも、プローブの長手方向の軸上であるから、コイル７４Ａ’乃至７４Ｄ’からなる、一方向の磁場成分を検出する一つのセンサとしては、プローブの長手方向の軸上に取り付けられたものといえる。同様に、プローブの長手方向に直交し、かつ、一方向に直交する他方向の磁場成分を検出するコイル７６Ａ’乃至７６Ｄ’からなるセンサもプローブの長手方向の軸上に取り付けられたものといえる。
　引用発明１の、ベクトル力場の異なる成分を検出する三つの「センサ」は、プローブの長手方向軸という「同一直線上に取り付けられた」ものである。
(c)引用発明１の、コイル７２Ａ’とコイル７２Ｂ’とは、ポイント７１’を中心として対称に配置されるものであって、ポイント７１’を挟んだ両側それぞれにおいて、プローブの長手方向の磁場成分を検出するものであるから、引用発明１のカテーテルの長手方向の磁場成分を検出するコイル、即ち「センサ」は、「プローブ内の共通基準点を中心として対称的に配設された」、コイル７２Ａ’とコイル７２Ｂ’の「二つのセンサ要素を含」んでいるものといえる。
　また、引用発明１の、その軸をプローブの長手方向に直交する一方向に向けて同軸に配置されるコイル７４Ａ’とコイル７４Ｂ’は、共に前記一方向の磁場成分を検出するものであり、これにポイント７１’を中心として対称に配置されるコイル７４Ｄ’とコイル７４Ｃ’も、共に前記一方向の磁場成分を検出するものであるから、コイル７４Ａ’とコイル７４Ｂ’を合わせたもの、コイル７４Ｄ’とコイル７４Ｃ’を合わせたものは、いずれも一つの「センサ要素」とみることができるので、引用発明１のプローブの長手方向に直交する一方向の磁場成分を検出するコイル、即ち「センサ」は、「プローブ内の共通基準点を中心として対称的に配設された」、コイル７４Ａ’と７４Ｂ’からなる「センサ要素」とコイル７４Ｄ’と７４Ｃ’からなる「センサ要素」の「二つのセンサ要素を含」んでいるものといえる。
　同様に、引用発明１のプローブの長手方向に直交し、かつ、一方向に直交する他方向の磁場成分を検出するコイル、即ち「センサ」は、「プローブ内の共通基準点を中心として対称的に配設された」、コイル７６Ａ’と７６Ｂ’からなる「センサ要素」とコイル７６Ｄ’と７６Ｃ’からなる「センサ要素」の「二つのセンサ要素を含」んでいるものといえる。
　そうすると、引用発明１のこれらの構成は、本件補正発明１の、「前記センサのそれぞれは、プローブ内の共通基準点を中心として対称的に配設された二つのセンサ要素を含む」ことに相当する。
　
　よって、本件補正発明１は引用発明１と同一であり、本件補正発明１は引用刊行物１に記載された発明であるので、特許法第２９条第１項第３号の規定により、特許を受けることができないものである。
　
（３−２）本件補正発明２と引用発明２との対比，判断
　本件補正発明２と引用発明２とを対比する。
(a)引用発明２の「トランスデューサアセンブリ」は、本件補正発明２の「センサ」に相当し、引用発明２の「プローブ内に取り付けられ、長手方向であるＸ方向の磁場成分を検出するトランスデューサアセンブリと、Ｘ方向に直交するＹ方向の磁場成分を検出するトランスデューサアセンブリと、Ｘ，Ｙ方向に直交するＺ方向の磁場成分を検出するトランスデューサアセンブリの３つのトランスデューサアセンブリのみを備えた、プローブの位置及び方向を検出する装置」は、本件補正発明２の「プローブ内に取り付けられ、それぞれがベクトル力場の三つの異なる成分に対応して前記成分を検出する三つのセンサのみで構成され」た「プローブの位置と方向を追跡するための装置」に相当することは明らかである。
(b)引用発明２の、Ｘ方向の磁場成分を検出するトランスデューサアセンブリの巻き線３０２ａと３０２ｂは、共通のポイント３０６を中心として対称に配置されるものであって、共通のポイント３０６を挟んだ両側それぞれにおいて、Ｘ方向の磁場成分を検出するものであるから、引用発明２のＸ方向の磁場成分を検出するトランスデューサアセンブリ、即ち「センサ」は、「プローブ内の共通基準点を中心として対称的に配設され」た、巻き線３０２ａと巻き線３０２ｂの「二つのセンサ要素で構成され」たものである。
　また、引用発明２の、Ｙ軸方向の磁場成分を検出するトランスデューサアセンブリの、コイル３１６ａ及び３１６ｂは、共にＹ軸方向の磁場成分を検出するものであり、これに共通ポイント３０６を中心として対称に配置されるコイル３１６ｃ及び３１６ｄも、共にＹ軸方向の磁場成分を検出するものであるから、コイル３１６ａと３１６ｂを合わせたもの、コイル３１６ｃと３１６ｄを合わせたものは、いずれも一つの「センサ要素」とみることができるので、引用発明２のＹ軸方向の磁場成分を検出するトランスデューサアセンブリ、即ち「センサ」は、「プローブ内の共通基準点を中心として対称的に配設され」た、コイル３１６ａと３１６ｂからなる「センサ要素」とコイル３１６ｃと３１６ｄからなる「センサ要素」の「二つのセンサ要素で構成され」たものといえる。
　同様に、引用発明２のＺ軸方向の磁場成分を検出するトランスデューサアセンブリ、即ち「センサ」は、「プローブ内の共通基準点を中心として対称的に配設され」た、コイル３０８ａと３０８ｂからなる「センサ要素」とコイル３０８ｃと３０８ｄからなる「センサ要素」の「二つのセンサ要素で構成され」たものといえる。
　そして、引用発明２の、巻き線３０２ａの「センサ要素」と、コイル３１６ａと３１６ｂからなる「センサ要素」と、コイル３０８ａと３０８ｂからなる「センサ要素」は、一の円の円周に沿って配置され、巻き線３０２ｂの「センサ要素」と、コイル３１６ｃと３１６ｄからなる「センサ要素」と、コイル３０８ｃと３０８ｄからなる「センサ要素」は、他の円の円周に沿って配置されている。
　そうすると、引用発明２のこれらの構成は、本件補正発明２の「前記センサのそれぞれにおいて、前記第１のセンサ要素及び前記第２のセンサ要素はプローブ内の共通基準点を中心として対称的に配設されており、前記第１のセンサ要素は第１の円の円周に沿って配設されており、前記第２のセンサ要素は第２の円の円周に沿って配設されており」に相当する。
(c)引用発明２の「一の円と他の円とは、Ｘ軸方向に共通ポイント３０６を挟んで隔たっていて、それらの中心を結ぶ線の中心点が共通のポイント３０６となる位置関係にある」は、本件補正発明２の「前記第１の円及び第２の円はそれぞれ中心を有し、前記共通基準点は前記第１の円及び第２の円の前記中心を結ぶ線の中心点であって、前記第１の円及び第２の円は前記線に沿って離れて位置する」に相当する。
　
　よって、本件補正発明２は引用発明２と同一であり、本件補正発明２は引用刊行物１に記載された発明であるので、特許法第２９条第１項第３号の規定により、特許を受けることができないものである。
　
　したがって、本件補正発明１，２は、引用刊行物１に記載された発明であるから、特許法第２９条第１項第３号の規定により特許出願の際独立して特許を受けることができないものである。  
　 
（４）むすび  
　以上のとおりであるから、本件補正は、平成１８年改正前の特許法第１７条の２第５項において準用する同法第１２６条第５項の規定に違反するものであり、特許法第１５９条１項において読み替えて準用する同法第５３条第１項の規定により却下すべきものである。 
　 
III．本願発明について  
１．本願発明 
　平成１７年６月１７日付けの手続補正は上記のとおり却下されたので、本願の請求項１−２５に係る発明は、本件補正前の、平成１７年１月６日付け手続補正書により補正された明細書の特許請求の範囲の請求項１−２５に記載されたとおりのものである。
　
２．新規性について
（１）本願発明の認定
　本願の請求項１，８に係る発明（以下、請求項１に係る発明及び請求項８に係る発明を、それぞれ「本願発明１」，「本願発明２」という。）は、次のとおりのものである。
　
「それぞれがベクトル力場の異なる成分を検出する、プローブ内に同一直線上に取り付けられた三つのセンサを備えて構成され、
　前記センサのそれぞれは、プローブ内の共通基準点を中心として対称的に配設された二つのセンサ要素を含むことを特徴とするプローブの位置と方向を追跡するための装置。」（：本願発明１）
　
「それぞれがベクトル力場の異なる成分を検出する、プローブ内に取り付けられた三つのセンサを備え、前記センサのそれぞれは第１のセンサ要素及び第２のセンサ要素からなる二つのセンサ要素を含み、
　前記センサのそれぞれにおいて、前記第１のセンサ要素及び前記第２のセンサ要素はプローブ内の共通基準点を中心として対称的に配設されており、前記第１のセンサ要素は第１の円の円周に沿って配設しており、前記第２のセンサ要素は第２の円の円周に沿って配設しており、
　前記第１の円及び第２の円はそれぞれ中心を有し、前記共通基準点は前記第１の円及び第２の円の前記中心を結ぶ線の中心点であって、前記第１の円及び第２の円は前記線に沿って離れて位置することを特徴とするプローブの位置と方向を追跡するための装置。」（：本願発明２）
　
（２）引用刊行物 
　原査定の拒絶の理由で引用された引用刊行物及びその記載事項は、上記「II．３．（２）」に記載したとおりである。  
　
（３）対比，判断  
　本願発明１は、本件補正発明１と同じである。また、本願発明２は、上記「II」で検討した本件補正発明２から、ベクトル力場の異なる成分の数が「三つ」であるという限定を外すとともに、センサの数が「三つ」「のみ」であるという限定を外したものである。
　
　そうすると、本願発明１と同じ本件補正発明１、及び、本願発明２の構成要件を全て含み、更に他の要件を付加したものに相当する本件補正発明２が上記「II．３．（３）対比，判断」に記載したとおり、引用刊行物１に記載された発明であるから、本願発明１及び２も同様の理由により、引用刊行物１に記載された発明である。
　
３．発明の単一性について
　本願の請求項１に記載される発明（以下「特定発明」という。）と、請求項１１−１４に記載される発明が平成１５年改正前の特許法第３７条（以下、「特許法第３７条」は平成１５年改正前のものを示すものとする。）に規定する関係を有するか否かについて検討するに、両発明は、どちらも『物』のカテゴリーに属するものであるので、特許法第３７条のうち関係するものは、第１号及び第２号である。そこで、本願の特定発明と、請求項１１−１４に記載される発明が、特許法第３７条第１号又は第２号の関係を有するか否かについて検討する。
　まず、特定発明は、「プローブの位置と方向を追跡するための装置」であるが、一方、請求項１１−１４に記載される発明は、「物体の位置と方向を判定するための装置」であるので、特定発明と請求項１１−１４に記載される発明とは共に「物体の位置と方向を測定するための装置」に関するものといえるので、両者の産業上の利用分野は同一である。
　しかしながら、特定発明は、
「それぞれがベクトル力場の異なる成分を検出する、プローブ内に同一直線上に取り付けられた三つのセンサを備えて構成され、
　前記センサのそれぞれは、プローブ内の共通基準点を中心として対称的に配設された二つのセンサ要素を含むことを特徴とするプローブの位置と方向を追跡するための装置。」
であって、ベクトル力場の異なる
複数成分
共通基準点を中心として対称的に配設
複数成分
複数の
「（ａ）電磁場を送信するための、少なくとも一つの送信アンテナと；
　（ｂ）一点で電磁場を検出するための、前記送信された電磁場の第１の成分に呼応する二つの検出要素を含む、物体に付随している第１の電磁場センサであって、前記検出要素は、それぞれ第１のリード線と第２のリード線を含み、前記第１のリード線は、互いに電気接続されているとともにアースに接続されていることを特徴とする、第１の電磁場センサと；
　（ｃ）第１の差動増幅器であって、前記第２のリード線はそれぞれ前記第１の差動増幅器の異なる入力端子に電気接続されていることを特徴とする、第１の作動増幅器と；
を備えてなる物体の位置と方向を判定するための装置。」
であって、ベクトル力場の一つである電磁場を検出するセンサは一つであり、電磁場の異なる複数成分を検出しようとするものではなく、センサの二つのセンサ要素がプローブの共通基準点を中心として対称的に配設されるものでもない。
　してみると、請求項１１及びこれを引用する請求項１２−１４に記載される発明は特定発明と、発明の構成に欠くことができない事項の主要部が相違し、また解決しようとする課題も相違するものである。
　したがって、本願の特定発明と、請求項１１−１４に記載される発明とは、特許法第３７条第１号、第２号に規定する関係を有さず、また、特許法第３７条第３号，第４号，第５号に規定する関係を有さないことも明らかであるから、本件出願は特許法第３７条に規定する要件を満たしていない。
　
４．むすび 
　以上のとおり、本願の請求項１及び８に係る発明は、引用刊行物１に記載された発明であり、特許法第２９条第１項第３号の規定により特許を受けることができないものである。
　また、本件出願は、平成１５年改正前の特許法第３７条に規定する要件を満たしていないものである。
　
　したがって、その余の請求項について論及するまでもなく、本願は、拒絶すべきものである。 
　よって、結論のとおり審決する。